(57)【要約】      （修正有）【課題】商品の前出し陳列装置において、ばねを構成する薄い金属板が外部から容易に視認及び接触できないようにする。【解決手段】レール部１１が設けられた第１の底面１０Ａと、第１の底面１０Ａの下に設けられた第２の底面１０Ｂとを有する箱状の枠体の、第１の底面１０Ａより上の空間に、細長い金属の板を渦巻状に巻回した巻回部３１を有するばねを収納するばね収納部１５が設けられる。ばね収納部１５には、ばね３０の外側の端である外端を第１の底面１０Ａと第２の底面１０Ｂとの間に引き出すための開口部が設けられる。枠体の正面に隣接して、第１の底面１０Ａから下に突出するように滑車４１が設けられる。滑車４１の索輪外周に外周が当接する紐４０は、一端がレール部１１に沿って摺動可能に設けられる押し板２０の背面に設けられ、他端がばねの外端に設けられる。【選択図】図１
2015024083.tif 000002
【特許請求の範囲】
【請求項１】
レール部が設けられた第１の底面と、前記第１の底面の下に設けられた第２の底面とを有する箱状の枠体と、
前記レール部の前側の端である前端と、前記レール部の前記前端と反対側の端である後端との間を前記レール部に沿って摺動可能に設けられ、前記第１の底面上に載置された物品を前記枠体の前記前端に近い面である正面側に押圧する押し板と、
細長い金属の板を渦巻状に巻回した巻回部を有するばねと、
前記巻回部を収納するばね収納部であって、前記枠体の前記第１の底面より上の空間に設けられ、前記ばねの外側の端である外端を前記第１の底面と前記第２の底面との間に引き出すための開口部が設けられたばね収納部と、
前記第１の底面の下側かつ前記枠体の前記正面に隣接した位置に設けられた滑車と、
一端が前記押し板に設けられ、他端が前記ばねの前記外端に設けられた紐であって、前記滑車の索輪外周に当接する紐と、
を備えたことを特徴とする物品前出し装置。
【請求項２】
請求項１に記載の物品前出し装置であって、
前記ばね収納部は、前記押し板が前記レール部の前記後端の近傍に位置するときに、前記押し板と前記枠体の前記正面と対向する面である背面との間に形成される空間に設けられる
ことを特徴とする物品前出し装置。
【請求項３】
請求項２に記載の物品前出し装置であって、
前記細長い金属の板の長手方向に直交する方向である周方向を覆うように、かつ前記押し板が前記レール部の任意の位置に位置するときに前記枠体の前記背面から視認できるように、前記細長い金属の板の少なくとも一部を被覆する可撓性を有する樹脂製の被覆部を備える
ことを特徴とする物品前出し装置。
【請求項４】
請求項１から３のいずれか一項に記載の物品前出し装置であって、
前記紐は、前記押し板が前記レール部の任意の位置に位置するときに前記滑車の索輪外周に当接する位置近傍の領域の色と、その他の領域の色とが異なるように形成される
ことを特徴とする物品前出し装置。
【請求項５】
請求項１から４のいずれか一項に記載の物品前出し装置であって、
前記ばね収納部の前記巻回部と当接する面は、前記金属に対して摺動特性に優れた樹脂により形成される
ことを特徴とする物品前出し装置。
【発明の詳細な説明】
【技術分野】
【０００１】
本発明は、物品前出し装置に関する。
【背景技術】
【０００２】
特許文献１には、商品の押し出し方向に沿って形成されるレール部と、レール部に摺動可能に係合する押し板と、巻きぐせが付けられた渦巻状の巻回部を有する板ばねであって押し板をレール部に沿って商品の押し出し方向へ付勢するばねとを有し、ばねの巻回部が押し板の商品と対面する側とは反対側の部分に配置されると共に、巻回部から引き出されたばねの一端部がレール部の商品の押し出し方向の端部又はその近傍部に固定されており、ばねのレール部に対して上方に向かって働く圧力を利用し、押し板を上方へ押し上げる手段を具備する商品前出し陳列装置が開示されている。これにより、陳列された商品が後方から前方へ押し出され、商品を取り出す毎に後方から残りの商品が押し出される。
【先行技術文献】
【特許文献】
【０００３】
【特許文献１】特開２００７−１３５８７５号公報
【発明の概要】
【発明が解決しようとする課題】
【０００４】
特許文献１に記載の商品前出し陳列装置は、ばねを構成する薄い金属板が外部から容易に視認することができる。このように、薄い金属板が視認できる場合には、使用者が外観上嫌悪感を抱いたり、不安に思ったりする可能性がある。また、特許文献１に記載の商品前出し陳列装置においては、ばねを構成する薄い金属板を使用者がさわってしまう可能性もある。
【０００５】
本発明はこのような事情に鑑みてなされたもので、ばねを構成する薄い金属板が外部から容易に視認及び接触できないようにすることができる物品前出し装置を提供することを目的とする。
【課題を解決するための手段】
【０００６】
上記課題を解決するために、本発明に係る物品前出し装置は、例えば、レール部が設けられた第１の底面と、前記第１の底面の下に設けられた第２の底面とを有する箱状の枠体と、前記レール部の前側の端である前端と、前記レール部の前記前端と反対側の端である後端との間を前記レール部に沿って摺動可能に設けられ、前記第１の底面上に載置された物品を前記枠体の前記前端に近い面である正面側に押圧する押し板と、細長い金属の板を渦巻状に巻回した巻回部を有するばねと、前記巻回部を収納するばね収納部であって、前記枠体の前記第１の底面より上の空間に設けられ、前記ばねの外側の端である外端を前記第１の底面と前記第２の底面との間に引き出すための開口部が設けられたばね収納部と、前記第１の底面の下側かつ前記枠体の前記正面に隣接した位置に設けられた滑車と、一端が前記押し板に設けられ、他端が前記ばねの前記外端に設けられた紐であって、前記滑車の索輪外周に当接する紐と、を備えたことを特徴とする。
【０００７】
本発明に係る物品前出し装置によれば、レール部が設けられた第１の底面と、前記第１の底面の下に設けられた第２の底面とを有する箱状の枠体の、第１の底面より上の空間には、渦巻状に巻回した巻回部を有するばねの巻回部を収納するばね収納部であって、ばね外側の端である外端を前記第１の底面と前記第２の底面との間に引き出すための開口部を有するばね収納部が設けられる。第１の底面の下側かつ枠体の正面に隣接した位置には滑車が設けられる。滑車の索輪外周には、レール部に沿って摺動可能に設けられた押し板に設けられ、他端がばねの外端に設けられた紐が当接する。これにより、ばねを構成する薄い金属板が外部から容易に視認及び接触できないようにすることができる。
【０００８】
ここで、前記第１の底面には、前記ばね収納部は、前記押し板が前記レール部の前記後端の近傍に位置するときに、前記押し板と前記枠体の前記正面と対向する面である背面との間に形成される空間に設けられてもよい。これにより、限られた空間を有効に活用することができる。
【０００９】
ここで、前記細長い金属の板の長手方向に直交する方向である周方向を覆うように、かつ前記押し板が前記レール部の任意の位置に位置するときに前記枠体の前記背面から視認できるように、前記細長い金属の板の少なくとも一部を被覆する可撓性を有する樹脂製の被覆部を備えてもよい。これにより、物品前出し装置の背面側から物品の残量を確認することができる。
【００１０】
ここで、前記紐は、前記押し板が前記レール部の任意の位置に位置するときに前記滑車の索輪外周に当接する位置近傍の領域の色と、その他の領域の色とが異なるように形成されてもよい。これにより、物品前出し装置の正面側から物品の残量を確認することができる。
【００１１】
ここで、前記ばね収納部の前記巻回部と当接する面は、前記金属に対して摺動特性に優れた樹脂により形成されてもよい。これにより、ばねとケースとの摩擦抵抗を軽減することができる。
【発明の効果】
【００１２】
本発明によれば、ばねを構成する薄い金属板が外部から容易に視認及び接触できないようにすることができる。
【図面の簡単な説明】
【００１３】
【図１】本発明の一例である物品前出し装置１を示す斜視図である。
【図２】（Ａ）は物品前出し装置１の右側面図（右側面は図示せず）であり、（Ｂ）は物品前出し装置１の正面図であり、（Ｃ）は図１のＡ−Ａ断面図である。
【図３】押し板を説明する図であり、（Ａ）は斜視図であり、（Ｂ）は側面図であり、（Ｃ）は正面要部拡大図である。
【図４】物品前出し装置１の使用時の状態を説明する図であって、押し板がレール部の後端に位置する場合を示す図である。
【図５】物品前出し装置１の使用時の状態を説明する図であって、押し板がレール部の途中に位置する場合を示す図である。
【発明を実施するための形態】
【００１４】
以下、本発明の実施形態を、図面を参照して詳細に説明する。
【００１５】
図１は、本発明の一例である物品前出し装置１の詳細を示す斜視図である。図２（Ａ）は、物品前出し装置１の右側面図（右側面は図示せず）であり、図２（Ｂ）は物品前出し装置１の正面図であり、図２（Ｃ）は図１のＡ−Ａ断面図である。物品前出し装置１は、主として、ケース１０と、押し板２０と、ばね３０と、紐４０とを有する。
【００１６】
ケース１０には、たばこ等の任意の物品１００が収納される。ケース１０は、例えば透明の樹脂により形成された底面が略矩形の箱状の部材であり、物品１００の形状及び収納量に応じて任意の大きさに形成される。
【００１７】
ケース１０は、上面が開口されると共に、物品１００が載置される底面である第１の底面１０Ａにレール部１１、係止段差１２、着脱開口部１４等が形成されている。また、第１の底面１０Ａの下には、第２の底面１０Ｂが設けられている。
【００１８】
レール部１１は、ケース１０の第１の底面１０Ａの略中央部に、ケース１０の長手方向、即ち物品１００の配列方向に沿って形成された長孔である。係止段差１２は、レール部１１の後端の近傍に形成された段差であり、物品１００の収納時等に押し板２０を係止させておくための部分である。着脱開口部１４は、押し板２０をレール部１１に対し着脱させる際の入口又は出口となる部分である。なお、係止段差１２及び着脱開口部１４は、必須の構成ではない。
【００１９】
ケース１０には、ばね３０を収納するばね収納部１５が一体形成される。ばね収納部１５は、図１及び図２（Ａ）に示すように、ケース１０の背面及び側面の壁に沿って、ケース１０の内側（第１の底面１０Ａの上側の領域）に突出するように形成される。また、ばね収納部１５は、押し板２０が係止段差１２に係止された状態（図４参照）において、押し板２０と干渉しない大きさで形成される。なお、押し板２０が係止段差１２に係止された状態とは、レール部１１の後端の近傍に押し板２０が位置する状態である。
【００２０】
さらに、図２（Ａ）に示すように、ばね収納部１５の底面には開口部が形成され、ばね３０の外側の端（外端）を第１の底面１０Ａと第２の底面１０Ｂとの間に引き出せるようになっている。
【００２１】
ばね収納部１５から引き出されたばね３０は、図２（Ａ）に示すように、第１の底面１０Ａと第２の底面１０Ｂとの間を摺動する。したがって、第１の底面１０Ａの下側のばね３０と当接する範囲（図２（Ａ）の面Ａ）と第２の底面の上側のばね３０と当接する範囲（図２（Ａ）の面Ｂ）は、ばね３０を構成する金属に対して摺動特性に優れた樹脂（例えば、ポリテトラフルオロエチレン）で形成することが望ましい。
【００２２】
ばね３０の外端と第１の底面１０Ａとが接触することが、摺動時に発生する抵抗を高くすると考えられる。したがって、ばね３０の外端の第１の底面１０Ａと接触する部分に、金属に対して摺動特性に優れた樹脂で形成された部材や、摩擦抵抗を減らす形状（例えば、球形）で形成された部材を設けるようにしてもよい。
【００２３】
また、ばね３０の展張、巻き取りに伴い、ばね収納部１５の正面の壁に沿ってばね３０が摺動するため、ばね収納部１５のばね３０が当接する面（図２（Ａ）の面Ｃ）を、ばね３０を構成する金属に対して摺動特性に優れた樹脂で形成することが望ましい。これにより、ばね３０とケース１０との摩擦抵抗を軽減することができる。ばね３０を構成する金属に対して摺動特性に優れた樹脂で形成する方法としては、摺動特性に優れた樹脂で形成されたシート等を貼付する方法や、摺動特性に優れた樹脂を塗布する方法等が考えられる。
【００２４】
本実施の形態では、ケース１０は透明な樹脂で形成されているが、ケース１０全体を透明な樹脂で形成する必要はない。少なくとも、ケース１０正面の壁と、ケース１０背面の壁のばね収納部１５が設けられた範囲を透明な樹脂で形成すればよいただし、ケース１０を一体成型するためには、ケース１０全体を透明な樹脂で形成することが望ましい。
【００２５】
また、第２の底面１０Ｂは、ケース１０全体を覆う必要はない。少なくとも、ばね３０が摺動する範囲（図４において巻き出し部３２（後に詳述）が設けられた領域）のみ第２の底面１０Ｂを設けるようにしてもよい。
【００２６】
押し板２０は、例えば樹脂により成形され、レール部１１に沿って摺動可能に設けられる。押し板２０は、最後部に位置する物品１００と当接し、ばね３０の力により物品１００をケース１０正面側（図１矢印参照）に押圧する。
【００２７】
図３は、押し板２０を説明する図であり、（Ａ）は斜視図、（Ｂ）は側面図、（Ｃ）は正面要部拡大図である。押し板２０は、主として、板部２１と、凸状部２２と、レール摺接部２３と、補強部２４と、指掛け部２５と、下片部２６と、紐取付部２７とを有する。
【００２８】
板部２１の前面側（図３（Ｂ）左側）には、短手方向に沿って凸状部２２が形成されている。物品１００の陳列時には、凸状部２２が物品１００と当接する。
【００２９】
レール摺接部２３は、ケース１０に形成されたレール部１１と係合する凹形状の部分である。レール摺接部２３は、図３（Ｃ）に示すように、円弧を描くような形状となっている。これにより、板部２１と平行に切断した断面において、レール部１１とレール摺接部２３とが点接触する。したがって、摩擦抵抗を軽減することができる。
【００３０】
補強部２４は、板部２１の背面側に設けられた２枚の略扇型の部材である。指掛け部２５は、補強部２４の外周に立設されたリブであり、利用者が押し板２０を移動させる際の操作性を向上させるためのものである。
【００３１】
２枚の補強部２４の間には、板状の紐取付部２７が設けられる。紐取付部２７には、紐４０の一端が設けられる。なお、本実施の形態では、図（Ｂ）に示すように、紐取付部２７の上端に紐４０の端が取り付けられているが、紐４０の取り付け方及び取付位置はこれに限定されない。例えば、紐４０は、紐取付部２７に設けられた孔に結んでもよいし、紐取付部２７に接着してもよいし、カシメ金具等を用いて紐取付部２７にカシメてもよい。また、紐４０は、紐取付部２７の任意の位置に取り付ければよい。
【００３２】
図１及び図２の説明に戻る。ばね３０は、細長い金属の板を、巻きぐせを付けて渦巻状に巻回したばねである。ばね３０は、渦巻状に巻回された巻回部３１と、巻回部３１から巻きだされた巻き出し部３２とを有する。巻き出し部３２の先端（外端）近傍には孔３３が形成される。
【００３３】
巻回部３１は、ばね収納部１５の内部に設けられる。ばね収納部１５の底面の開口から巻き出し部３２を引き出し、孔３３に紐４０の他端を設けることで、押し板２０には、前方（図１矢印参照）へ移動する方向の力が付勢される。
【００３４】
巻き出し部３２の一部には、被覆部３４（図１では図示せず）が設けられる。図２（Ｃ）に示すように、被覆部３４は、ばね３０の細長い金属の板の周方向を覆うように設けられる。
【００３５】
被覆部３４は、筒状の樹脂製の部材、例えば熱収縮チューブである。被覆部３４は、周方向に変形可能である。熱収縮チューブとしては、電子線架橋軟質ポリオレフィン樹脂、軟質ポリ塩化ビニル系樹脂、軟質ポリ塩化ビニル系樹脂等の様々な形態のものを用いることができる。熱収縮チューブはすでに公知であるため、説明を省略する。被覆部３４は、ばね３０とは異なる色、特に赤等の目立つ色を用いることが望ましい。
【００３６】
なお、本実施の形態では、被覆部３４として樹脂製の熱収縮チューブを用いたが、被覆部の形態はこれに限定されない。例えば、周方向に変形可能な筒状の樹脂製の部材として、プラスチックの紐を網組することにより伸縮性を持たせた伸縮チューブ（メッシュチューブ）を用いて、ばね３０を構成する細長い金属の板を被覆してもよい。また、ばね３０を構成する細長い金属の板に熱収縮する樹脂製のテープを巻回することにより、細長い金属の板を被覆してもよい。さらに、乾燥後にゴム状となる樹脂系の塗料（例えば、ＳＢＲ樹脂を含有する塗料）を用いて、ばね３０を構成する細長い金属の板を被覆してもよい。つまり、金属の板の変形に合わせて変形可能な可撓性を有する樹脂であれば、どのようなものを用いてバネを被覆してもよい。金属の板の変形に合わせて変形可能な可撓性を有する樹脂を用いることで、ばね３０の展張、巻き取りによって被覆部３４がばね３０から剥がれることを防止することができる。
【００３７】
紐４０は、ポリエステル等の樹脂、ゴム、糸、紙、木等で形成された紐状の部材である。紐４０は、一端が孔３３に連結され、他端が押し板２０の紐取付部２７に連結される。なお、紐４０の断面形状は、略円形でもよいし、略矩形（平織り）でもよい。紐４０は、任意の色（例えば、黒色、橙色、青色等）に着色された着色部４０Ａと、着色されていない（例えば、白色）の非着色部４０Ｂとを有する（後に詳述）。紐４０は、任意の色に着色された紐と、着色されていない紐とを編み込んで接ぐ（さつま加工など）ことにより形成してもよいし、１本の白い紐の一部を染色等して形成してもよい。
【００３８】
滑車４１は、図２（Ｂ）に示すように、ケース１０の第１の底面１０Ａから下向きに突出するように、ケース１０の第１の底面１０Ａに軸支される。滑車４１は、中央に１本の軸を持つ回転自在な索輪を有する。紐４０は、索輪外周に当接する。
【００３９】
滑車４１は、ケース１０正面に隣接した位置に設けられる。これにより、索輪外周に当接する紐４０がケース１０正面近傍を通過するため、紐４０をケース１０正面側から視認させることができる。
【００４０】
滑車４１は、ケース１０の短手方向の略中央近傍に設けられた第１の滑車４１Ａと、ケース１０の短手方向に沿って第１の滑車４１Ａと平行に、かつばね収納部１５とケース１０の長手方向に沿って略平行となる位置に設けられた第２の滑車４１Ｂと、を有する。これにより、紐４０が略Ｕ字形状（略コの字形状）に曲げられる。
【００４１】
このように構成された物品前出し装置１の使い方について説明する。紐４０が紐取付部２７に取り付けられた押し板２０を、レール部１１端部に形成された着脱開口部１４（図１参照）に嵌め込む。そして、板部２１がレール部１１の長手方向と直交するように押し板２０を回転させた後でレール部１１内にスライドさせることで、押し板２０をレール部１１に係合させる。
【００４２】
ばね３０の巻回部３１をばね収納部１５内に載置し、ばね収納部１５の底面の開口から巻き出し部３２を引き出す。紐４０を滑車４１の索輪外周に当接させ、紐４０の紐取付部２７に取り付けられていない側の端を孔３３に取り付ける。そして、押し板２０をケース１０の後端近傍部まで移動させ、係止段差１２に係止させ、ケース１０内に物品１００を並べた後、押し板２０を係止段差１２から外す。これにより、物品１００は前方へ加圧された状態で陳列される。なお、押し板２０を係止段差１２から外した時に、ばね収納部１５の内部でばね３０の展張、巻き取りが行われるため、ばね３０がばね収納部１５から飛び出すことはない。
【００４３】
なお、本実施の形態は、使用者が物品１００の残数を容易に把握することができる点に特徴がある。以下、残数表示について説明する。
【００４４】
図４は、押し板２０をケース１０の後端近傍部まで移動させ、係止段差１２に係止された状態（押し板２０がレールの後端に位置する状態）、すなわち物品１００の残数が多い状態を示す図である。図５は、押し板２０がケース１０の中央近傍の任意の位置にある状態、すなわち物品１００の残数が少なくなり、残数が少ないことを使用者が確認できる状態を示す図である。図４、５において、ばね３０のハッチングが掛けられた部分は、被覆部３４により被覆されている部分である。
【００４５】
図４に示す状態では、ばね３０の巻き出し部３２の露出量が多く、後方、すなわちケース１０の背面側（後部側）から被覆部３４を視認することはできない。また、紐４０の着色部４０Ａは図示しない物品１００により覆われ、視認することはできない。
【００４６】
それに対し、図５に示す状態では、図４に示す状態に比べて、ばね３０が巻き取られており、巻き出し部３２の露出量が少ない。その結果、後方、すなわちケース１０の後部側又は上方から、使用者が被覆部３４を視認することができる。また、図５に示す状態では、ばね３０が巻き取られるのに伴い、紐４０が移動し、ケース１０の正面側から紐４０の着色部４０Ａを視認することができる。これにより、押し板２０がレール部１１の後端から任意の位置（図５に示す位置に限定されない）まで移動したこと、すなわち物品前出し装置１に入っている物品１００の数が一定数以下になったことを使用者に認識させることができる（残数量の見える化）。
【００４７】
本実施の形態によれば、ばねをケース内に入れるため、物品前出し装置の使用者の手指にばねが触れることを無くすことができる。また、ばねの寿命により破断等が発生した場合においても、物品前出し装置の使用者がばねの破断面に触れてしまう等の危険性が無くすことができる。さらに、紐が破断した場合においても、ばね収納部内にばねが巻き込まれるため、安全性を確保することができる。
【００４８】
また、本実施の形態によれば、ケースによりばねが視覚的に遮蔽されているため、物品前出し装置を視認した使用者が、刃物等が露出していると間違えて認識することを防ぎ、安心感を演出することができる。
【００４９】
また、本実施の形態によれば、周方向に変形可能な筒状の樹脂製の部材を被覆部として用いることで、容易にばねを被覆することができる。また、周方向に変形可能な筒状の樹脂製の部材を被覆部として用いることで、ばねの展張、巻き取り動作によっても被覆部がはがれにくく、残数表示を行うための樹脂を金属の上に安定して密着させることができる。
【００５０】
また、本実施の形態によれば、紐がケース正面側から視認でき、かつ物品前出し装置に入っている物品の数が一定数以下になった時に紐の色が変わるように構成されているため、使用者が物品の残数を容易に把握することができる。また、ばね収納部をケース背面側から視認できるようにし、物品前出し装置に入っている物品の数が一定数以下になった時に被覆部がばね収納部内の巻回部に位置するように構成されているため、使用者が物品の残数を容易に把握することができる。このように、ケースの正面及び背面の両方から残数を確認できるようにするため、物品前出し装置の使用位置（例えば、レジカウンター背面に載置するか、レジカウンター上に載置するか等）によらず、残数確認を容易に行うことができる。
【００５１】
例えば、コンビニエンスストア等において、たばこ等の販売に物品前出し陳列装置を使う場合には、物品前出し陳列装置が上下左右に密集された形態で並べられるため、販売品の残数が物品前出し陳列装置の前後から見えにくいという問題があった。それに対し、本実施の形態によれば、物品前出し装置の正面及び背面のどちらからも残量確認を行うことができる。なお、紐の色が変わるように構成すること、及び被覆部がばね収納部内の巻回部に位置するように構成することは、必ずしも両方行う必要はない。物品前出し装置の使用状況に応じてどちらか一方のみを行うようにしてもよい。
【００５２】
また、本実施の形態によれば、押し板がレール部の後端の近傍に位置するときに、押し板とばね収納部とが干渉しない大きさで形成されるため、デッドスペースを少なくすることができる。したがって、ばね収納部を形成しない従来品と同様に、ケース寸法を限界まで使った搭載個数を確保することができる。
【００５３】
また、本実施の形態によれば、ばね収納部を第１の底面より上の空間に設けるため、底面から下の高さ（第１の底面と第２の底面との間の高さ）を低くすることができる。そのため、物品前出し装置を上下左右方向に多数配置するときに高さを節約でき、ひいては、同じ高さを有するスペース内への物品前出し装置の収容効率を稼ぐことができる。
【００５４】
なお、第１の底面と第２の底面との間にばね収納部を設け、ばね収納部内にばねを立てて（本実施の形態と同様の姿勢）配置する場合には、本実施の形態と比べてばねの巻回部の直径を小さくする必要がある。ばねの巻回部の直径を小さくするためには、ばねを構成する金属の変形量を大きくする必要があり、これにより疲労破壊が速くなる可能性がある。それに対し、本実施の形態では、ばね収納部を第１の底面の上側の空間内に設けるため、ばねの巻回部の直径を大きくすることができ、したがって疲労破壊を起こりにくくすることができる。
【００５５】
また、第１の底面と第２の底面との間にばねを横向きに寝かせて配置する方法も考えられる。この場合に第１の底面と第２の底面との高さを低くするためには、ばねの巾を狭くする必要があるが、ばねの巾を狭くするとバネ性能が低下してしまうという問題がある。したがって、本実施の形態のように、ばね収納部を第１の底面より上に設けることが望ましい。ただし、ばねの性能、物品前出し装置の寸法等の条件によっては、ばねを横向きに寝かせて配置してもよいし、ばねを斜め方向に配置してもよい。
【００５６】
なお、本実施の形態では、図５に示す状態においてケース１０の正面側から紐４０の着色部４０Ａを視認できるように、押し板２０に設けられた端から一定距離だけ着色部４０Ａを有する紐４０を使用したが、紐の着色の形態はこれに限られない。例えば、押し板がレール部１１の任意の位置に位置するときに、ケース１０の正面側から視認できる範囲、例えば滑車４１の索輪外周に当接する位置近傍の領域の色が、その他の領域の色と異なるように紐が形成されていればよい。
【００５７】
また、本実施の形態では、図５に示す状態においてケース１０の後部側から被覆部３４が視認できるように、ばね３０に被覆部３４を設けたが、ばね３０に被覆部３４を設ける範囲はこれに限られない。例えば、ばね３０の、押し板がレール部１１の任意の位置に位置するときにケース１０の後部側から視認できる範囲のみ被覆部３４を設けるようにしてもよい。
【００５８】
また、本実施の形態では、ケース１０の背面及び側面の壁に沿って、ケース１０の内側（第１の底面１０Ａの上側の領域）に突出するようにばね収納部１５を形成したが、ばね収納部１５を形成する位置はこれに限らず、ケース１０の第１の底面１０Ａの上側の領域であれば任意の位置に形成することができる。ただし、デッドスペースを少なくするためには、ケース１０の背面及び側面の壁に沿ってばね収納部１５を形成することが望ましい。
【００５９】
また、本実施の形態では、滑車４１をケース１０正面に隣接した位置に２つ（滑車４１Ａ、４１Ｂ）設けたが、滑車４１を設ける位置及び滑車４１の数はこれに限られない。例えば、ばね収納部をケース１０の正面及び側面の壁に沿って設け、ケース１０の短手方向に沿って巻き出し部３２を巻き出す場合には、滑車４１は１つ（滑車４１Ａ）だけでよい。
【００６０】
また、本実施の形態では、紐４０の一端をばね３０に連結し、他端を押し板２０に連結したが、紐４０が連結する部品はこれに限られない。例えば、紐を２本用いて、１本の紐でばね３０と任意の部品とを連結し、他の紐で任意の部品と押し板２０とを連結するようにしてもよい。また、紐を２本用いて、１本の紐でばね３０と押し板２０とを連結し、他の紐で押し板２０と任意の部品とを連結してもよい。任意の部品として、例えば、ばねばかり等の引っ張り力によって目盛りの表示位置が変わる部品を用いることで、任意の部品を残数表示として用いることもできる。また、任意の部品として、複数の部品を組み合わせて動きを発生させる機構部品、電子部品、電気部品等を採用することもできる。
【００６１】
以上、この発明の実施形態を、図面を参照して詳述してきたが、具体的な構成はこの実施形態に限られるものではなく、この発明の要旨を逸脱しない範囲の設計変更等も含まれる。
【００６２】
例えば、上記実施形態においては、ケース１０にレール部１１が一体に形成された構成を示したが、本発明はこれに限られるものではなく、例えばケースとレールとが別体の場合であっても、適応されるものである。また、レール部１１がケース１０の第１の底面に形成された構成を示したが、本発明はこれに限られるものではなく、レール部１１が、ケース１０の傾斜された底面等に形成された場合であっても、適応されるものである。
【符号の説明】
【００６３】
１：物品前出し装置、１０：ケース、１０Ａ：第１の底面、１０Ｂ：第２の底面、１１：レール部、１２：係止段差、１４：着脱開口部、１５：ばね収納部、２０：押し板、２１：板部、２２：凸状部、２３：レール摺接部、２４：補強部、２５：指掛け部、２６：下片部、２７：紐取付部、３０：ばね、３１：巻回部、３２：巻き出し部、３３：孔、３４：被覆部、４０：紐、４０Ａ：着色部、４０Ｂ：非着色部、４１：滑車、４１Ａ：第１の滑車、４１Ｂ：第２の滑車、１００：物品
【図１】
2015024083.tif 000003
【図２】
2015024083.tif 000004
【図３】
2015024083.tif 000005
【図４】
2015024083.tif 000006
【図５】
2015024083.tif 000007